(57)【特許請求の範囲】
【請求項１】
交流電源の電圧が一次コイルに付与されるトランスと、該トランスの二次コイルに発生する電圧を整流して直流の電源電圧を生成する直流電源電圧生成回路と、該直流電源電圧生成回路から電源電圧を受電して暖房装置の運転制御を行なう制御回路とを備えた暖房装置の電源装置において、
前記交流電源から前記トランスの一次コイルへの通電経路に設けられ、暖房装置の運転スイッチのON操作及びOFF操作に応じてそれぞれ閉成、開成する主電源接点スイッチと、
該主電源接点スイッチが閉成状態であるときに、その旨を示す信号を前記制御回路に付与する主電源ON信号出力回路と、
前記主電源接点スイッチに並列に接続され、前記制御回路からの所定の指令信号に応じて導通・遮断するスイッチ素子と、
前記直流電源電圧生成回路に接続して設けられ、前記主電源接点スイッチが閉成状態であるとき、又は前記スイッチ素子が導通状態であるときに該制御回路用の電源電圧が充電される蓄電器とを備え、
前記主電源接点スイッチが開成状態であるときに、あらかじめ定めた所定の時間間隔毎に所定時間づつ前記スイッチ素子を導通させる手段を前記制御回路に備えたことを特徴とする暖房装置の電源装置。
【請求項２】
前記制御回路は、前記スイッチ素子をその駆動用回路を介して導通させるものであり、
前記主電源接点スイッチが閉成状態であるとき、又は前記スイッチ素子が導通状態であるときに前記スイッチ素子の駆動用回路に給電する電源電圧が充電される第２の蓄電器が前記直流電源電圧生成回路に接続して設けられていることを特徴とする請求項１記載の暖房装置の電源装置。
【請求項３】
前記トランスの二次コイルは、前記直流電源電圧生成回路に給電する第１の二次コイルと、前記制御回路からの所定の指令信号に応じて前記暖房装置の運転用の電動アクチュエータに通電するアクチュエータ駆動回路に給電する第２の二次コイルとを備えると共に、前記第２の二次コイルから前記アクチュエータ駆動回路への通電経路には、該通電経路を開閉する副電源接点スイッチが備えられ、前記主電源接点スイッチ及び副電源接点スイッチは、前記運転スイッチのON／OFF操作に応じて、互いに同時に開閉する二極スイッチにより構成されていることを特徴とする請求項１又は２記載の暖房装置の電源装置。
【請求項４】
前記制御回路には、前記暖房装置の運転機能の設定操作を行うためのキー操作器が接続されており、該制御回路は、前記主電源接点スイッチが開成状態で且つ前記スイッチ素子の遮断状態において前記キー操作器が操作されたとき、前記スイッチ素子を所定時間導通させる手段を備えていることを特徴とする請求項１〜３のいずれか１項に記載の暖房装置の電源装置。
【請求項５】
前記制御回路には、前記暖房装置の運転情報を表示する表示器が接続されており、該制御回路は、前記主電源接点スイッチが開成状態で且つ前記スイッチ素子が遮断状態であるときには、前記表示器を非表示状態に制御し、前記主電源接点スイッチの開成状態で前記キー操作器の操作に応じて前記スイッチ素子を導通させるときには、該スイッチ素子の導通と並行して、前記表示器による少なくとも一つ以上の表示を行なわしめる手段を備えていることを特徴とする請求項４記載の暖房装置の電源装置。
【請求項６】
前記トランスの一次コイルに交流電源の電圧が付与された状態で前記交流電源の電圧の周期に同期した計時用パルス信号を生成して前記制御回路に入力するパルス信号生成回路が前記直流電源電圧生成回路に接続して設けられていると共に、前記制御回路には、前記蓄電器の充電電圧を電源として発振可能な発振回路が接続されており、該制御回路は、前記主電源接点スイッチが開成状態で且つ前記スイッチ素子を遮断している状態では、前記発振回路の発振信号に基づき計時し、前記主電源接点スイッチの閉成状態又は前記スイッチ素子の導通状態では、前記パルス信号生成回路の計時用パルス信号に基づき計時することを特徴とする請求項１〜５のいずれか１項に記載の暖房装置の電源装置。
【請求項７】
前記暖房装置は、その熱源としての燃焼装置に燃焼用空気を供給する燃焼ファンの駆動用モータを具備すると共に、該駆動用モータは、前記制御回路により制御されるモータ用スイッチ素子を介して前記交流電源に接続されており、前記制御回路は、前記運転スイッチのOFF操作により前記主電源接点スイッチが開成されたときに、前記燃焼ファンによるポストパージを行なうべく該運転スイッチのOFF操作後、所定時間は、前記主電源設定スイッチと並列する前記スイッチ素子と前記モータ用スイッチ素子とを導通せしめることを特徴とする請求項1〜６のいずれか１項に記載の暖房装置。
【発明の詳細な説明】
【０００１】
【発明の属する技術分野】
本発明は、温風暖房装置等の暖房装置の電源装置に関する。
【０００２】
【従来の技術】
温風暖房装置等の暖房装置では、通常、商用電源等の交流電源を主電源として用いている。そして、この種の暖房装置では、交流電源の電圧をトランスを介して降圧し、その降圧した電圧（トランスの二次コイルに発生する電圧）を直流に整流した後、マイコン等により構成された制御回路にその電源電圧として給電するようにしたものが一般に知られている。
【０００３】
一方、近年では、各種電機機器の省電力化の要求が高まっており、これは、前記暖房装置においても同様である。従って、例えば、暖房装置の運転スイッチがOFF操作されて該暖房装置の運転を休止している状態における電力消費をできるだけ削減することが望まれている。
【０００４】
このような省電力化の要求を考慮すると、暖房装置の運転休止状態では、前記制御回路を含めて全ての電子機器への給電を遮断してしまうことが好ましいと考えられる。
【０００５】
ところが、暖房装置では、例えば所謂タイマー運転による自動起動を行なったりする関係上、暖房装置の運転休止状態でも、制御回路の電源電圧を完全に遮断してしまうことは困難である場合が多い。また、タイマー運転を行なわないような機種であっても、暖房装置の運転休止状態で使用者が装置の各種設定操作を行うことや、時計、装置機能等の表示を行なうことが望まれる場合も多々あり、このような要望を満たすためには、暖房装置の運転休止状態で制御回路への電源電圧を完全に遮断することはできない。
【０００６】
このため、従来の暖房装置では、暖房装置の運転休止状態においても、制御回路の電源電圧を交流電源からトランスを介して給電するようにしていた。
【０００７】
しかしながら、かかる暖房装置では、制御回路の電源電圧が常時、交流電源からトランスを介して該制御回路に供給されるため、トランスやその二次コイル側の整流回路の抵抗成分等における電力損失（所謂ジュール熱による損失）が、該暖房装置の運転休止状態においても比較的大きなものとなり、これが暖房装置の省電力化の妨げとなっていた。
【０００８】
【発明が解決しようとする課題】
本発明はかかる背景に鑑みてなされたものであり、運転休止状態における省電力化を効果的に図ることができ、また、暖房装置の使用勝手も良好なものとすることができる暖房装置の電源装置を提供することを目的とする。
【０００９】
【課題を解決するための手段】
本発明の暖房装置の電源装置はかかる目的を達成するために、交流電源の電圧が一次コイルに付与されるトランスと、該トランスの二次コイルに発生する電圧を整流して直流の電源電圧を生成する直流電源電圧生成回路と、該直流電源電圧生成回路から電源電圧を受電して暖房装置の運転制御を行なう制御回路とを備えた暖房装置の電源装置において、前記交流電源から前記トランスの一次コイルへの通電経路に設けられ、暖房装置の運転スイッチのON操作及びOFF操作に応じてそれぞれ閉成、開成する主電源接点スイッチと、該主電源接点スイッチが閉成状態であるときに、その旨を示す信号を前記制御回路に付与する主電源ON信号出力回路と、前記主電源接点スイッチに並列に接続され、前記制御回路からの所定の指令信号に応じて導通・遮断するスイッチ素子と、前記直流電源電圧生成回路に接続して設けられ、前記主電源接点スイッチが閉成状態であるとき、又は前記スイッチ素子が導通状態であるときに該制御回路用の電源電圧が充電される蓄電器とを備え、前記主電源接点スイッチが開成状態であるときに、あらかじめ定めた所定の時間間隔毎に所定時間づつ前記スイッチ素子を導通させる手段を前記制御回路に備えたことを特徴とするものである。
【００１０】
かかる本発明の電源装置によれば、暖房装置の運転スイッチをOFF操作して、該暖房装置の運転を休止した状態では、前記主電源接点スイッチが開成するため、基本的には、前記交流電源からトランスの一次コイルに電流が流れず、該トランスの二次コイルに電圧が発生しない。従って、該トランスの二次コイルや前記直流電源電圧生成回路に電流が流れず、該トランスや直流電源電圧生成回路での電力消費が生じない。一方、このとき、前記制御回路には、直流電源電圧生成回路からは電源電圧が供給されないこととなるが、主電源接点スイッチの閉成状態（前記運転スイッチのON状態）で充電された前記蓄電器から電源電圧が供給され、これにより該制御回路は、各種制御処理を行なうことが可能となる。そして、該制御回路は、蓄電器の充電電圧を電源電圧として作動しているとき（主電源接点スイッチの開成状態）には、所定の時間間隔毎に、所定時間づつ前記スイッチ素子を導通させる。この所定時間のスイッチ素子の導通状態では、前記交流電源から該スイッチ素子を介してトランスの一次コイルに電流が流れて該トランスの二次コイルに電圧が発生するため、前記直流電源電圧生成回路が直流の電源電圧を生成するようになる。従って、前記スイッチ素子を導通させている時間においては、制御回路には交流電源を元電源とする直流電源電圧生成回路から電源電圧が供給されると同時に、前記蓄電器が該直流電源電圧生成回路を介して充電される。そして、前記所定時間が経過して、前記スイッチ素子が制御回路により再び遮断状態とされたときには、制御回路は再び蓄電器の充電電圧を電源電圧として作動し得る状態となる。
【００１１】
このようにして、本発明の電源装置では、暖房装置の運転休止状態では、蓄電器の充電のためにスイッチ素子を導通状態に制御するタイミングを除いて、基本的にはトランスや直流電源電圧生成回路に電流が流れないため、それらによる交流電源の電力の消費が無くなり、暖房装置の省電力を効果的に図ることができる。そして、暖房装置の運転休止状態での制御回路の主たる電源となる蓄電器は、定期的に前記スイッチを導通状態とすることで充電されるため、制御回路には、常時必要な電源電圧が供給されることとなり、暖房装置の運転休止状態でも所要の制御処理を実行することができる。
【００１２】
尚、前記スイッチ素子は、できるだけ少ない電力で導通・遮断を行なうことが可能なものを使用することが好ましい。具体的には、該スイッチ素子としては、半導体スイッチ素子を用いること好適であり、例えば、フォトトライアックを介して導通・遮断制御が可能な双方向サイリスタを用いることが好適である。また、前記蓄電器は、例えば充電可能な二次電池でもよいが、コンデンサを用いることが好適である。
【００１３】
かかる本発明では、前記制御回路が、前記スイッチ素子をその駆動用回路を介して導通させるものであるときには、前記主電源接点スイッチが閉成状態であるとき、又は前記スイッチ素子が導通状態であるときに前記スイッチ素子の駆動用回路に給電する電源電圧が充電される第２の蓄電器が前記直流電源電圧生成回路に接続して設けられていることが好ましい。
【００１４】
これによれば、前記制御回路用の電源電圧が充電される前記蓄電器の充電電力が、前記スイッチ素子を導通させる際に、該スイッチ素子の駆動用回路によって消費されることがなく、該駆動用回路は、前記第２の蓄電器の充電電力を用いて動作することとなる。この結果、暖房装置の運転休止状態で前記制御回路が前記スイッチ素子を導通させる前記時間間隔をさらに長くしたり、あるいは、その導通の一回当たりの継続時間（前記所定時間）をさらに短くすることが可能となり、暖房装置の省電力化をさらに高めることができる。尚、前記第２の蓄電器は、充電可能な二次電池でもよいが、コンデンサを用いることが好適である。
【００１５】
また、本発明では、前記トランスの二次コイルが、前記直流電源電圧生成回路に給電する第１の二次コイルと、前記制御回路からの所定の指令信号に応じて前記暖房装置の運転用の電動アクチュエータに通電するアクチュエータ駆動回路に給電する第２の二次コイルとを備える場合には、前記第２の二次コイルから前記アクチュエータ駆動回路への通電経路には、該通電経路を開閉する副電源接点スイッチが備えられ、前記主電源接点スイッチ及び副電源接点スイッチは、前記運転スイッチのON／OFF操作に応じて、互いに同時に開閉する二極スイッチにより構成されていることが好ましい。
【００１６】
これによれば、主電源接点スイッチの開成状態では、副電源接点スイッチも開成状態となるため、仮に前記蓄電器の充電電圧の不足等により万が一、制御回路の作動が不安定なものとなって、該制御回路が誤って前記スイッチ素子を導通させつつ前記電動アクチュエータに通電するように前記アクチュエータ駆動回路を制御させるように作動しても、該アクチュエータ駆動回路や電動アクチュエータには、電力が供給されない。従って、該電動アクチュエータが暖房装置の運転休止状態で誤って作動してしまうような事態を確実に回避できる。また、これらの主電源接点スイッチ及び副電源接点スイッチを構成する二極スイッチは、機械的に開閉するスイッチであるため、該スイッチの開閉には電力を消費しない。従って、運転スイッチがON操作されたときに、蓄電器の充電電圧が比較的低いものとなっていても、主電源接点スイッチ及び副電源接点スイッチが確実に閉成状態となり、このとき、交流電電側からトランス及び直流電源電圧生成回路を介して必要な電源電圧が供給される制御回路の制御処理により、暖房装置の運転を支障なく開始することができる。
【００１７】
尚、例えば灯油等の液体燃料を気化して燃焼させる気化式燃焼装置を熱源として具備する暖房装置では、前記電動アクチュエータは、液体燃料を気化器に供給する電磁ポンプであることが適している。
【００１８】
また、本発明の電源装置では、前記制御回路に、前記暖房装置の運転機能の設定操作を行うためのキー操作器が接続されている場合において、該制御回路は、前記主電源接点スイッチが開成状態で且つ前記スイッチ素子の遮断状態において前記キー操作器が操作されたとき、前記スイッチ素子を所定時間導通させる手段を備えていることが好ましい。
【００１９】
すなわち、暖房装置の運転休止状態（主電源接点スイッチの閉成状態）で、且つ前記スイッチ素子が遮断状態となっているときに、使用者が前記キー操作器を操作して、何らかの運転機能の設定を行なう場合には、一般には、前記制御回路の消費電力が単なる待機状態のときよりも増えるものの、このときには、前記スイッチ素子を所定時間導通させるので、制御回路には、交流電源側から電力が供給されると同時に、蓄電器が充電される。従って、暖房装置の運転休止状態で、制御回路が使用する蓄電器の蓄電電力が少なくて済む。この結果、暖房装置の運転休止状態でキー操作器の操作がなされるような状況以外の通常的な運転休止状態において、該スイッチ素子の導通を行なうべき時間間隔を長めに設定することが可能となり、ひいては、暖房装置の運転休止状態における省電力化をさらに向上させることができる。また、キー操作器の操作時に蓄電器の充電電圧が比較的低いものとなっていても、制御回路に交流電源側から電力が供給されるので、該制御回路は支障なく、キー操作器の操作に応じた処理を適正に実行することができる。従って、使用者は支障なく所望の設定操作を行うことができ、暖房装置の良好な使用性を確保できる。
【００２０】
また、本発明の電源装置では、前記制御回路に、前記暖房装置の運転情報を表示する表示器が接続されている場合において、該制御回路は、前記主電源接点スイッチが開成状態で且つ前記スイッチ素子が遮断状態であるときには、前記表示器を非表示状態に制御し、前記主電源接点スイッチの開成状態で前記キー操作器の操作に応じて前記スイッチ素子を導通させるときには、該スイッチ素子の導通と並行して、前記表示器による少なくとも一つ以上の表示を行なわしめる手段を備えていることが好適である。
【００２１】
これによれば、暖房装置の運転休止状態で、前記キー操作器の操作に応じて前記スイッチ素子を導通させたときには、前記制御回路が交流電源側から必要な電力を受けつつ、前記表示器による表示が行なわれるので、使用者は、キー操作器による設定内容等を確認しながら、該キー操作器の操作を行うことが可能となる。また、暖房装置の運転休止状態における前記スイッチ素子の遮断状態では、表示器を非表示状態とするので、蓄電器の消費電力を極力小さなものとすることができる。従って、前記スイッチ素子の導通を行なうべき時間間隔を長めに設定することが可能となり、ひいては、暖房装置の運転休止状態における省電力化をさらに向上させることができる。
【００２２】
さらに、本発明の電源装置では、前記トランスの一次コイルに交流電源の電圧が付与された状態で前記交流電源の電圧の周期に同期した計時用パルス信号を生成して前記制御回路に入力するパルス信号生成回路が前記直流電源電圧生成回路に接続して設けられている場合には、前記制御回路には、前記コンデンサの充電電圧を電源として発振可能な発振回路を接続しておき、該制御回路は、前記主電源接点スイッチが開成状態で且つ前記スイッチ素子を遮断している状態では、前記発振回路の発振信号に基づき計時し、前記主電源接点スイッチの閉成状態又は前記スイッチ素子の導通状態では、前記パルス信号生成回路の計時用パルス信号に基づき計時することが好ましい。
【００２３】
すなわち、商用電源や家庭用電源等の交流電源は、一般に、その周波数の精度が高いため、暖房装置では、その時計機能やタイマー機能等に用いる前記計時用パルス信号を生成する前記パルス信号生成回路を備えるものが多い。この場合、本発明では、暖房装置の運転休止状態で、前記スイッチ素子が遮断状態となっている状態では、前記直流電源電圧生成回路に給電するトランスの二次コイルに交流電源の電圧に同期した交流電圧が発生しないため、前記パルス信号生成回路は、交流電源の周期に同期した計時用パルス信号を生成することができない。このため、本発明では、前記発振回路（例えば水晶発振回路）を備えておき、前記制御回路は、主電源接点スイッチが開成状態で且つスイッチ素子を遮断している状態では、前記発振回路の発振信号に基づき計時し、主電源接点スイッチの閉成状態又はスイッチ素子の導通状態では、前記パルス信号生成回路の計時用パルス信号に基づき計時する。これにより、暖房装置の運転休止状態においても支障なく計時を行なうことが可能となると共に、主電源接点スイッチの閉成状態又はスイッチ素子の導通状態では常にパルス信号生成回路の計時用パルス信号を用いて計時を行なうことで、計時誤差を最小限に留めることができる。
【００２４】
また、本発明では、前記暖房装置が、その熱源としての燃焼装置に燃焼用空気を供給する燃焼ファンの駆動用モータを具備すると共に、該駆動用モータが、前記制御回路により制御されるモータ用スイッチ素子を介して前記交流電源に接続されている場合には、前記制御回路は、前記運転スイッチのOFF操作により前記主電源接点スイッチが開成されたときに、前記燃焼ファンによるポストパージを行なうべく該運転スイッチのOFF操作後、所定時間は、前記主電源接点スイッチと並列する前記スイッチ素子と前記モータ用スイッチ素子とを導通せしめることが好ましい。
【００２５】
すなわち、熱源として燃焼装置を備える暖房装置では、運転スイッチがOFF操作されて該暖房装置の運転を停止する際には、一般に、運転スイッチのOFF操作後、所定時間、前記燃焼ファンを作動させるポストパージ処理が行なわれる。そして、燃焼ファンの作動においては、前記モータ用スイッチ素子（例えばリレースイッチ）を制御回路の制御により導通させた状態で、該燃焼ファンの駆動用モータに交流電源から電力が供給される。この場合、前記ポストパージにおいて、仮に前記スイッチ素子（主電源接点スイッチと並列するスイッチ素子）を遮断状態にしておくと、制御回路は、前記蓄電器の充電電圧を電源電圧として、前記モータ用スイッチ素子を導通状態に制御しなければならないこととなり、暖房装置の運転休止状態の開始時に該蓄電器の蓄電電力を消費してしまう。特に、該モータ用スイッチ素子が例えばリレースイッチに構成されている場合には、ポストパージの際の蓄電器の蓄電電力の消費が大きなものとなる。そこで、本発明では、ポストパージの際には、前記主電源接点スイッチと並列する前記スイッチ素子を、前記モータ用スイッチ素子と共に導通させておく。これにより、ポストパージの際には、制御回路には、交流電源側から電力が供給されることとなり、暖房装置の運転休止状態の開始の際に蓄電器の蓄電電力が消耗されてしまうような事態を回避することができる。この結果、暖房装置の運転休止状態で前記スイッチ素子を導通状態に制御する時間間隔を長めに設定することが可能となり、ひいては、暖房装置の省電力化をさらに効果的に図ることができる。
【００２６】
尚、ポストパージ中に駆動するものは、暖房装置の機能によって、対流用ファンの駆動モータや温水暖房用の循環ポンプ等の場合もある。
【００２７】
【発明の実施の形態】
本発明の第１実施形態を図１及び図２を参照して説明する。図１は本実施形態に係わる暖房装置の概要構成を模式的に示す説明図、図２は図１の暖房装置の電源装置の回路構成図である。
【００２８】
図１を参照して、本実施形態における暖房装置１は、例えばFF式の温風暖房装置であり、その外装ケース２内に、灯油等の液体燃料の気化ガスを燃焼させる気化式燃焼装置３と、該外装ケース２が設置される室内の空気を対流させつつ温風を送風する送風ファン１７ａとを具備している。
【００２９】
気化式燃焼装置３は、バーナ４、気化器５、点火電極６等を収容した燃焼室７と、この燃焼室７に燃焼用空気を供給する燃焼ファン８と、定油面器９から液体燃料を気化器５に供給する電磁ポンプ１０とを備えており、電磁ポンプ１０の作動により気化器５に供給される液体燃料を該気化器５に内蔵された電熱ヒータ１１の熱により気化すると共に、その気化ガスと燃焼ファン８から供給される燃焼用空気とを該気化器５内で混合してバーナ４に供給し、その混合気をバーナ４にて燃焼させるようにしている。尚、バーナ４の点火は、該バーナ４に混合気を供給しつつ、点火電極６に火花放電を発生させることにより行なわれる。また、定油面器９には図示を省略する外部の燃料タンクから液体燃料が供給されるようになっている。
【００３０】
前記燃焼室７から屋外に至る排気路１２が導出され、この排気路１２には、外装ケース２内で室内空気との熱交換を行なうための熱交換部１３が設けられている。そして、この熱交換部１３に臨んで前記送風ファン１７ａが設けられ、該送風ファン１７ａは、外装ケース２の吸気口１４から室内空気を吸入し、それを熱交換部１３を介して外装ケース２の吹出し口１５から室内に送風するようにしている。
【００３１】
尚、前記燃焼ファン８及び送風ファン１７ａは、その駆動用の電動モータ１６，１７をそれぞれ備えている。以下、電動モータ１６をバーナモータ１６、電動モータ１７を送風モータ１７と称する。
【００３２】
次に図２を参照して、本実施形態の暖房装置１は、その運転制御を、CPU、RAM、ROMにより構成された制御回路としてのマイクロコンピュータ２０（以下、マイコン２０という）により行なうものである。そして、暖房装置１は、このマイコン２０やこれに関連した各種回路、前記電磁ポンプ１０等の電動アクチュエータにそれらの動作用電源を供給する電源装置２１を備えている。
【００３３】
該電源装置２１は、家庭用あるいは商用の交流電源２２を元電源（電力供給源）とするものであり、交流電源２２の電圧を降圧するトランス２３と、前記外装ケース２に設けられる暖房装置１の運転スイッチ２４のON／OFF操作に応じて開閉する二つの接点スイッチ２５，２６とを具備している。
【００３４】
前記運転スイッチ２４は、例えばロックタイプの押しボタンスイッチであり、該運転スイッチ２４のON／OFF操作に応じて機械的に開閉する二つの電気接点を上記接点スイッチ２５，２６として有する二極スイッチを構成するものである。
すなわち、運転スイッチ２４のON操作（押し操作）に応じて同時に前記接点スイッチ２５，２６が閉成し、また、運転スイッチ２４のOFF操作（押し込み状態の解除操作）に応じて同時に前記接点スイッチ２５，２６が開成するようになっている。尚、接点スイッチ２５，２６はそれぞれ本発明における主電源接点スイッチ、副電源接点スイッチに相当するものであり、以下、それぞれを主電源接点スイッチ２５、副電源接点スイッチ２６と称する。
【００３５】
前記トランス２３は、一次コイル２３ａと二つの二次コイル２３ｂ，２３ｃを備えており、その一次コイル２３ａが交流電源２２にヒューズ２７及び前記主電源接点スイッチ２５を介して接続されている。そして、主電源接点スイッチ２５には、本発明におけるスイッチ素子としての双方向サイリスタ２８が並列に接続されている。従って、トランス２３の一次コイル２３ａには、主電源接点スイッチ２５の閉成状態又は双方向サイリスタ２８の導通状態において交流電源２２の電圧が付与され、このとき、該交流電源２２の電圧を降圧してなる交流電圧が各二次コイル２３ｂ，２３ｃに発生する。
【００３６】
また、トランス２３の一次コイル２３ａ側では、前記気化器５の電熱ヒータ１１と前記点火電極６に火花放電を発生させるイグナイタ２９とがそれぞれリレースイッチ３０，３１を介して交流電源２２に接続されている。従って、電熱ヒータ１１及びイグナイタ２９には、それぞれリレースイッチ３０，３１を導通状態に制御することで、それらの動作用電力が交流電源２２から供給されるようになっている。
【００３７】
さらに、前記燃焼ファン８のバーナモータ１６及び送風ファン１７ａの送風モータ１７がそれぞれに専用のリレースイッチ３２，３３と、両モータ１６，１７に共通のリレースイッチ３４とを介して交流電源２２に接続されている。従って、バーナモータ１６及び送風モータ１７には、リレースイッチ３４を導通状態に制御した状態で、それぞれに対応するリレースイッチ３２，３３を導通状態に制御することで、それらの動作用電力が交流電源２２から供給されるようになっている。
【００３８】
尚、前記バーナモータ１６に係わる前記リレースイッチ３２，３４は本発明におけるモータ用スイッチ素子に相当するものである。
【００３９】
前記トランス２３の二次コイル２３ｂ側には、該二次コイル２３ｂに発生する交流電圧から前記マイコン２０や後述の各種回路の動作用の二種類の直流電源電圧Ｖｃ，Ｖｄを生成する直流電源電圧生成回路３５が設けられている。
【００４０】
前記直流電源電圧生成回路３５は、二次コイル２３ｂに接続された全波整流回路３６を具備し、二次コイル２３ｂに発生する交流電圧を該全波整流回路３６により全波整流してなる脈流の直流電圧をコンデンサ３７により平滑化することで略一定レベルの直流電源電圧Ｖｃを生成すると共に、該直流電源電圧Ｖｃから定電圧レギュレータ３８及びコンデンサ３９を介して一定レベルの直流電源電圧Ｖｄ（＜Ｖｃ）を生成するようにしている。そして、該直流電源電圧生成回路３５は、前記直流電源電圧Ｖｃを前記コンデンサ３７の一端に導通する第１給電部４０から給電可能とし、また、前記直流電源電圧Ｖｃを定電圧レギュレータ３８の出力側に接続されたダイオード４１の出力部に導通する第２給電部４２から給電可能としている。
【００４１】
ここで、第１給電部４０の直流電源電圧Ｖｃは、詳細を後述するリレー駆動回路５８等の動作用電源電圧として使用される電圧であり、第２給電部４２の直流電源電圧Ｖｄは、前記マイコン２０や、詳細を後述するスイッチ素子制御信号生成回路５４、パルス信号生成回路５６、発振回路５７等の動作用電源電圧として使用される電圧である。そして、第２給電部４２には、本発明における蓄電器としてのコンデンサ４３（以下、補助電源コンデンサ４３という）が接続されており、該補助電源コンデンサ４３にはトランス２３の一次コイル２３ａに交流電源２２の電圧が付与された状態で直流電源電圧生成回路３５が生成する直流電源電圧Ｖｄが充電される。また、第２給電部４２には、マイコン２０の電源入力部２０ａが接続されており、これにより、マイコン２０は、直流電源電圧生成回路３５が生成する直流電源電圧Ｖｄあるいは補助電源コンデンサ４３の充電電圧を電源として動作可能とされている。尚、補助電源コンデンサ４３は、比較的大きな容量を有するコンデンサである。また、該補助電源コンデンサ４３の代わりに二次電池（充電可能な電池）を使用してもよい。
【００４２】
前記トランス２３の二次コイル２３ｃには、前記主電源接点スイッチ２５が閉成状態であるとき（運転スイッチ２４がON操作されているとき）にその旨を示す信号を生成する主電源ON信号出力回路４４と、本発明における電動アクチュエータとしての前記電磁ポンプ１０を駆動するためのアクチュエータ駆動回路４５とが前記副電源接点スイッチ２６を介して接続されている。
【００４３】
前記主電源ON信号出力回路４４は、運転スイッチ２４のON操作に伴う主電源接点スイッチ２５及び副電源接点スイッチ２６の閉成状態で二次コイル２３ｃに発生する交流電圧が副電源接点スイッチ２６を介して付与されたときに、該交流電圧に同期して間欠的に通電されて発光する発光ダイオード４６ａを具備しており、該発光ダイオード４６ａの間欠的な発光信号を、主電源スイッチ２５の閉成状態を示す信号として出力するものである。
【００４４】
この場合、前記発光ダイオード４６ａと併せてフォトカプラ４６を構成するフォトトランジスタ４６ｂが、前記マイコン２０に接続されており、該フォトトランジスタ４６ｂは、直流電源電圧生成回路３５の第２給電部４２から抵抗４７を介して通電可能に設けられていると共に、前記発光ダイオード４６ａの間欠的な発光に応じて間欠的に導通するように設けられている。これにより、マイコン２０には、主電源接点スイッチ２５及び副電源接点スイッチ２６の閉成状態において、その旨を示す信号が主電源ON信号生成回路４４からフォトカプラ４６を介して入力される。
【００４５】
アクチュエータ駆動回路４５は、二次コイル２３ｃに発生する交流電圧を全波整流する全波整流回路４８と、この全波整流回路４８の出力を平滑化してほぼ一定レベルの直流電圧を生成するコンデンサ４９とを具備し、該コンデンサ４９により得られる直流電圧をスイッチングトランジスタ５０を介して電磁ポンプ１０に供給して該電磁ポンプ１０を作動させるものである。そして、スイッチングトランジスタ５０の導通・遮断を行なうために、該トランジスタ５０のベースに接続されたフォトトランジスタ５１ｂを備えている。
【００４６】
この場合、上記フォトトランジスタ５１ｂと併せてフォトカプラ５１を構成する発光ダイオード５１ａが前記マイコン２０にバッファ５２を介して接続されており、該フォトトランジスタ５１ｂは、直流電源電圧生成回路３５の第１給電部４０から抵抗５３を介して通電可能に設けられている。従って、マイコン２０がバッファ５２を介してフォトカプラ５１の発光ダイオード５１ａの通電、ひいては、該発光ダイオード５１ａの発光を制御することで、フォトトランジスタ５１ｂ及びスイッチングトランジスタ５０を介して電磁ポンプ１０の通電が制御され、これにより、該電磁ポンプ１０の作動が制御される。
【００４７】
本実施形態の電源装置２１は、さらに、前記双方向サイリスタ２８を制御するためのスイッチ素子制御信号生成回路５４及びスイッチ素子駆動回路５５と、トランス２３の二次コイル２３ｂに発生する交流電圧の周期（＝交流電源２２の電圧の周期）に同期したパルス信号を生成するパルス信号生成回路５６と、一定周期のパルス信号を発振する発振回路５７と、前記リレースイッチ３０〜３４を駆動するためのリレー駆動回路５８とを備えている。
【００４８】
前記スイッチ素子制御信号生成回路５４は、マイコン２０にバッファ５９を介して接続された発光ダイオード６０ａを具備するものであり、該発光ダイオード６０ａは、直流電源電圧生成回路３５の第２給電部４２から抵抗６１を介して通電可能に設けられ、その通電、ひいては、該発光ダイオード６０ａの発光がマイコン２０によりバッファ５９を介して制御される。
【００４９】
前記スイッチ素子駆動回路５５は、上記発光ダイオード６０ａと光学的にカップリングされたフォトトライアック６０ｂと、該フォトトライアック６０ｂに直列接続された一対の抵抗６２，６３から成り、前記双方向サイリスタ２８に並列に接続されている。そして、抵抗６２，６３の中点を双方向サイリスタ２８のゲートに接続している。
【００５０】
従って、マイコン２０によりバッファ５９を介して発光ダイード６０ａの通電を行わしめて該発光ダイオード６０ａを発光させると、フォトトライアック６０ｂが導通状態となり、このとき、スイッチ素子駆動回路５５に交流電源２２から交流電流が通電される。そして、このとき、抵抗６２，６３の中点から双方向サイリスタ２８のゲートに付与される電圧によって、該双方向サイリスタ２８が導通状態に保持される。
【００５１】
前記パルス信号生成回路５６は、コンパレータ６４を具備するものであり、該コンパレータ６４の一方の入力部（負入力端子）には、前記直流電源電圧生成回路３５の全波整流回路３６の出力部に接続された一対の分圧抵抗６５，６６の中点から、該全波整流回路３６の出力に比例したレベルの脈流状の直流電圧が付与され、他方の入力部（正入力端子）には、前記直流電源電圧生成回路３５の第２給電部４２に接続された一対の分圧抵抗６７，６８の中点から、所定レベル（一定レベル）の直流電圧が付与される。かかるパルス信号生成回路５６では、トランス２３の一次コイル２３ａに交流電源２２の電圧が付与されて二次コイル２３ｂに交流電圧が発生している状態で、コンパレータ６４の負入力端子に入力される脈流状の直流電圧が該コンパレータ６４の正入力端子に入力される一定レベルの直流電圧に対して、交流電源２２の電圧に同期して上下に変化するため、該コンパレータ６４の出力は、交流電源２２の周期に同期したパルス信号となる。そして、コンパレータ６４の出力部はマイコン２０に接続されており、該コンパレータ６４から出力されるパルス信号がマイコン２０における計時用の信号として入力される。
【００５２】
前記発振回路５７は、水晶体６９を有する水晶発振回路であり、前記直流電源電圧生成回路３５の第２給電部４２の直流電源電圧Ｖｄ（＝補助電源コンデンサ４３の充電電圧）を電源として発振するものである。そして、該発振回路５７は、マイコン２０に接続されており、その発振信号（パルス信号）をマイコン２０における予備的な計時用信号として該マイコン２０に入力する。
【００５３】
前記リレー駆動回路５８は、前記各リレースイッチ３０〜３４にそれぞれ対応する複数（本実施形態では５個）の励磁コイル７０を備えており、各励磁コイル７０は、前記直流電源電圧生成回路３５の第１給電部４０から通電可能に設けられ、その通電がマイコン２０によりバッファ７１を介して制御される。このリレー駆動回路５８では、マイコン２０の制御により励磁コイル７０に通電せしめることにより、該励磁コイル７０に対応するリレースイッチ３０〜３４が電磁力により閉成して導通状態となる。
【００５４】
また、マイコン２０には、暖房装置１の前記外装ケース２に設けられるキー操作器７２及び表示器７３が接続されている。キー操作器７２は、複数のキースイッチ７４を具備している。これらのキースイッチ７４は、例えば暖房装置１のセーブ運転やタイマー運転を設定するためのスイッチ、現在時刻や、タイマー運転の運転時刻を調整するためのスイッチ、暖房装置１の運転時の目標室温を設定するためのスイッチ等である。そして、該キー操作器７２は、前記直流電源電圧生成回路３５の第２給電部４２の直流電源電圧Ｖｄを電源として各キースイッチ７４の操作信号（ON/OFF信号）を生成し、それをマイコン２０に入力する。
【００５５】
前記表示器７３は、暖房装置１の運転状態等を例えばLEDや液晶（LCD）、蛍光表示管（VFD）を用いて表示するものであり、例えば、暖房装置１の運転中であるか否か、セーブ運転中であるか否か、タイマー運転中であるか否かを示す表示や、現在時刻もしくはタイマ運転の設定時刻、目標室温の設定値の表示等がマイコン２０の制御により行なわれるようになっている。
【００５６】
尚、図２中、参照符号７５を付したものは、マイコン２０の制御処理を行なうためのクロック信号を生成する水晶発振回路である。
【００５７】
次に、本実施形態の装置、特に電源装置２１の作動を説明する。
【００５８】
運転スイッチ２４がON操作され、前記主電源接点スイッチ２５及び副電源接点スイッチ２６が閉成している状態では、マイコン２０を含めた各回路には、交流電源２２から電力が供給される。そして、この状態で、マイコン２０が、あらかじめ定められたプログラムや、前記キー操作器７２による設定情報等に基づいて、前記電磁ポンプ１０等への給電を制御し、暖房装置１の所要の運転（前記気化式燃焼装置３の燃焼運転や送風ファン１７ａの作動）を行わしめる。
【００５９】
尚、この状態では、直流電源電圧生成回路３５が前記第２給電部４２に生成する直流電源電圧Ｖｄが前記補助電源コンデンサ４３に充電される。また、マイコン２０は、主電源接点スイッチ２５及び副電源接点スイッチ２６の閉成状態であることを前記主電源ON信号生成回路４４から前記フォトトランジスタ４６ｂを介して与えられる信号により認識しており、この状態では、マイコン２０は、前記双方向サイリスタ２８を前記スイッチ素子制御信号生成回路５４及びスイッチ素子駆動回路５５を介して遮断状態に制御する。また、この状態では、マイコン２０は、交流電源２２の電圧の周期に同期して前記パルス信号生成回路５６が生成するパルス信号に基づいて、時刻把握のための計時動作を行なう。
【００６０】
一方、使用者が暖房装置１の運転を休止すべく運転スイッチ２４をOFF操作すると、主電源接点スイッチ２５及び副電源接点スイッチ２６が開成状態になり、前記主電源ON信号生成回路４４が、主電源接点スイッチ２５の閉成状態を示す信号を出力しなくなるため、その旨をマイコン２０はフォトトランジスタ４６ｂの出力を介して認識する。
【００６１】
このとき、マイコン２０は、運転スイッチ２４のOFF操作により主電源接点スイッチ２５の閉成状態となったことを認識してからあらかじめ定めた所定時間（例えば５分）が経過するまでの期間、前記双方向サイリスタ２８を前記スイッチ素子制御信号生成回路５４及びスイッチ素子駆動回路５５を介して導通状態に制御する（発光ダイオード６０ａに通電させる）。また、上記所定時間の期間、前記リレースイッチ３２，３３，３４をリレー駆動回路５８を介して導通状態に制御して、前記バーナモータ１６及び送風モータ１７に交流電源２２から給電せしめ、前記燃焼ファン８及び送風ファン１７ａを作動させる。これにより、燃焼室３や外装ケース２の内部のポストパージが行なわれる。
【００６２】
このポストパージにおいては、双方向サイリスタ２８が導通状態に制御されるため、交流電源２２からトランス２３の一次コイル２３ａ及び二次コイル２３ｂを介して直流電源電圧生成回路３５に電力が供給される。このため、該直流電源電圧生成回路３５は、前記直流電源電圧Ｖｃ，Ｖｄを生成する。従って、該直流電源電圧Ｖｃ，Ｖｄを電源電圧として使用して動作する前記リレー駆動回路５８やマイコン２０等の各回路は、交流電源２２から電力が供給される。このため、前記ポストパージに際して、前記補助電源コンデンサ４３の蓄電電力が消費されることはない。また、このポストパージにおいては、交流電源２２の電力を用いてパスル信号生成回路５６が該交流電源２２の電圧に同期したパルス信号を生成するので、マイコン２０は、そのパルス信号に基づいて計時動作を行なう。
【００６３】
上述のようなポストパージの処理が終了すると、マイコン２０は、前記リレースイッチ３２，３３，３４に対応するリレー駆動回路５８の励磁コイル７０への通電を遮断せしめて該リレースイッチ３２，３３，３４を開成させ、これによりバーナモータ１６及び送風モータ１７への給電を遮断して、燃焼ファン８及び送風ファン１７ａを停止させる。従って、暖房装置１は運転休止状態となる。
【００６４】
また、同時に、マイコン２０は、双方向サイリスタ２８をスイッチ素子制御信号生成回路５４及びスイッチ素子駆動回路５５を介して遮断状態に制御する（発光ダイオード６０ａへの通電を遮断する）。さらに、マイコン２０は表示器７３への電力供給を遮断する。
【００６５】
これにより、トランス２３の一次コイル２３ａに交流電源２２の電圧が付与されなくなり、前記直流電源電圧生成回路３５には、前記直流電源電圧Ｖｃ，Ｖｄを生成するための電力が供給されなくなる。このため、該直流電源電圧生成回路３５の第１給電部４０から動作用電源を受ける前記リレー駆動回路５８や、前記アクチュエータ駆動回路４５を制御するための発光ダイオード５１ａは動作不能となる。また、パルス信号生成回路５６には、直流電源電圧生成回路３５の全波整流回路３６の出力が与えられなくなるため、該パルス信号生成回路５６はパルス信号を出力しなくなる。さらに、表示器７３は非表示状態（消灯状態）となる。
【００６６】
一方、直流電源電圧生成回路３５の第２給電部４２には、補助電源コンデンサ４３が接続されて充電されているため、該第２給電部４２から動作用電源を受けるマイコン２０や前記発振回路４２には、補助電源コンデンサ４３からその充電電圧（≒Ｖｄ）が供給される。そして、マイコン２０は、前記パルス信号生成回路５６の出力の代りに、発振回路５７の発振信号に基づいて計時動作を継続し、また、キー操作器７２からの出力を監視する（マイコン２０が待機状態となる）。尚、前記双方向サイリスタ２８を導通させる際に第２給電部４２からの給電を要する前記スイッチ素子制御信号生成回路５４や、前記キースイッチ７４の操作信号をマイコン２０に出力する際に第２給電部４２からの給電を要する前記キー操作器７２には、補助電源コンデンサ４３の充電電圧を必要時に供給し得る状態となる。
【００６７】
上述のようにして暖房装置１が運転休止状態になると、マイコン２０は、暖房装置１の運転スイッチ２４が使用者によりON操作され、あるいは、前記キー操作器７２のいずれかのキースイッチ７４が使用者により操作されない限り、所定の時間間隔毎に、所定時間づつ（例えば１時間毎に１分間づつ）、前記双方向サイリスタ２８をスイッチ素子制御信号生成回路５４及びスイッチ素子駆動回路５５を介して導通状態に制御する（発光ダイオード６０ａに通電せしめる）。これにより、交流電源２２の電圧が双方向サイリスタ２８を介してトランス２３の一次コイル２３ａに付与され、トランス２３の二次コイル２３ｂ側の直流電源電圧生成回路３５が前記第１及び第２給電部４０，４２にそれぞれ直流電源電圧Ｖｃ，Ｖｄを生成する状態となると共に、前記パルス信号生成回路５６が交流電源２２の電圧の周期に同期した計時用のパルス信号を生成する状態となる。
【００６８】
このとき、主電源接点スイッチ２５が開成状態で且つ双方向サイリスタ２８が遮断状態とされている間にマイコン２０や発振回路５７等が消費する補助電源コンデンサ４３の電力が直流電源電圧生成回路３５の第２給電部４２から補充され、該補助電源コンデンサ４３が満充電状態に充電される。従って、暖房装置１の運転休止状態では、補助電源コンデンサ４３は、定期的に蓄電電力が補充されて充電される。
【００６９】
また、このときマイコン２０は、発振回路５７の発振信号に基づく計時動作を中断し、パルス信号生成回路５６が生成する本来の計時用のパルス信号に基づいて計時動作を行なう。
【００７０】
このようにして、暖房装置１の運転休止状態では、基本的には、交流電源２２から各回路に電力は供給されなくなるが、マイコン２０や発振回路５７には、補助電源コンデンサ４３からそれらの電源電力が供給され、マイコン２０は待機状態となると共に、発振回路５７の発振信号を代用的に用いて計時動作を行なう。
そして、定期的に短時間だけマイコン２０が双方向サイリスタ２８を導通状態に制御することで、補助電源コンデンサ４３の充電（蓄電電力の補充）が行なわれると共に、マイコン２０によるパルス信号生成回路５６のパルス信号に基づく計時動作が行なわれる。
【００７１】
尚、暖房装置１の運転休止状態では、運転スイッチ２４はOFF操作状態であるので前記副電源接点スイッチ２６は、双方向サイリスタ２８が導通状態及び遮断状態のいずれの状態であっても、常に開成状態となっている。従って、前記主電源ON信号生成回路４４やアクチュエータ駆動回路４５に電力が供給されることはない。
【００７２】
また、本実施形態の暖房装置１の電源装置２１では、暖房装置１の運転休止状態において、上述のようにマイコン２０が定期的に双方向サイリスタ２８を導通状態に制御する他、マイコン２０は、キー操作器７２のキースイッチ７４が使用者により操作された場合にも、一時的に双方向サイリスタ２８を導通状態に制御する。
【００７３】
すなわち、例えば、使用者が現在時刻やタイマー運転用の時刻の確認や設定等を行なうために、キースイッチ７４を操作し、その操作信号がキー操作器７２からマイコン２０に与えられると、該マイコン２０は、所定時間（例えば１分）の間、双方向サイリスタ２８を導通状態に制御する。同時に、マイコン７３は、上記所定時間の間、表示器７３に電力を供給して、該表示器７３による表示を行わしめる。尚、このとき、表示器７３には、例えば操作されたキースイッチ７４に対応する事項のみを表示させるようにしてもよいが、それ以外の事項も併せて表示させるようにしてもよい。
【００７４】
これにより、直流電源電圧生成回路３５やマイコン２０、表示器７３等の回路に交流電源２２の電力が供給されつつ、キー操作器７２の操作に応じた処理がマイコン２０により行われる。尚、このとき、パルス信号生成回路５６は、交流電源２２の電圧の周期に同期したパルス信号を生成するため、マイコン２０は、該パルス信号に基づいて計時動作を行なう。
【００７５】
以上のようにして、本実施形態の暖房装置１では、暖房装置１の運転休止状態では、補助電源コンデンサ４３に定期的に充電する場合や、キー操作器７２が操作された場合を除いて、補助電源コンデンサ４３からマイコン２０や発振回路５７等の必要最低限の回路にその動作用の電源を供給し、交流電源２２の電力を直流電源生成回路３５等の各種回路に供給しないため、交流電源２２のエネルギーが無駄に消費されることがなく、暖房装置１の省電力化を効果的に図ることができる。
【００７６】
そして、定期的に短時間だけ、双方向サイリスタ２５を導通状態に制御して、交流電源２２の電力をトランス２３を介して直流電源電圧生成回路３５に供給し、補助電源コンデンサ４３を充電するため、暖房装置１の運転休止状態におけるマイコン２０や発振回路５７の動作を支障なく行なうことができる。また、運転スイッチ２４のOFF操作直後のポストパージの際や、キー操作器７２の操作によるマイコン２０の制御処理及び表示器７３の表示を行なう状況、すなわち、マイコン２０の制御処理動作や、表示器７３の表示等のためにそれらの電力消費が比較的大きなものとなる状況では、双方向サイリスタ２８を導通状態に制御して、交流電源２２の電力を使用するので、補助電源コンデンサ４３の蓄電電力の消費を必要最低限に抑えることができる。この結果、該補助電源コンデンサ４３の充電を行なうサイクルをできるだけ長くしたり、あるいは、各サイクルにおける双方向サイリスタ２８の導通時間をできるだけ短くすることができ、ひいては、暖房装置１の運転休止状態における交流電源２２の電力使用量をできるだけ小さいものとして、暖房装置１の省電力化の効果を高めることができる。
【００７７】
また、マイコン２２は、交流電源２２の電圧の周期に同期したパルス信号をパルス信号生成回路５６が生成することができない状態（双方向サイリスタ２８の遮断状態）では、代用的に発振回路５７の発振信号に基づく計時を行うが、双方向サイリスタ２８を導通させてパルス信号生成回路５６がパルス信号を生成する状態では、常に、該パルス信号に基づいて計時動作を行なうため、その計時誤差を最小限に留めることができ、従って、現在時刻やタイマー運転に係わる時刻の精度を十分に確保することができる。
【００７８】
さらに、暖房装置１の運転休止状態では、基本的には電力消費を抑えるために表示器７３を非表示状態とするが、キー操作器７２が操作されたときには、双方向サイリスタ２８を導通状態として、交流電源２２の電力を使用しつつ表示器７３の表示を行なうので、暖房装置１の運転休止状態であっても、使用者は、表示器７３の表示を確認しながら、キー操作器７２の操作を行うことができ、暖房装置１の使用勝手を向上させることができる。
【００７９】
また、本実施形態では、運転スイッチ２４に二極スイッチを用いて、該二極スイッチにより主電源接点スイッチ２５及び副電源接点スイッチ２６を構成したので、主電源接点スイッチ２５の開成状態では、常に副電源接点スイッチ２６も開成状態となる。このため、暖房装置１の運転休止状態で、万が一、補助コンデンサ４３の充電電圧の不足等によりマイコン２０の誤作動が生じても、電磁ポンプ１０にその動作用の電力が供給されることはなく、暖房装置１の気化式燃焼装置３のバーナ４に誤って燃料が供給されてしまうような事態を確実に回避できる。
【００８０】
尚、以上説明した実施形態では、補助電源コンデンサ４３の蓄電電力の消費をできるだけ少なくするために前記ポストパージの際に、双方向サイリスタ２８を導通状態に制御したが、該双方向サイリスタ２８を遮断状態に制御したまま、ポストパージを行なうようにすることも可能である。この場合、前記バーナモータ１６や送風モータ１７に係わる前記リレースイッチ３２〜３４の励磁コイル７０に通電するために補助電源コンデンサ４３の電力を使用することも可能であるが、ポストパージの際の補助電源コンデンサ４３の電力消費を抑える上では、前記リレースイッチ３２〜３４及びそれに対応する励磁コイル７０の代りに、例えば双方向サイリスタ及びこれを制御するためのフォトトライアック等の半導体スイッチ素子を用いることが好適である。
【００８１】
次に本発明の第２実施形態を図３を参照して説明する。図３は本実施形態の電源装置の回路構成図である。尚、本実施形態の電源装置は、前記図１に示した暖房装置に係る電源装置である。また、本実施形態の電源装置は、前記第１実施形態のもの（図２のもの）と一部の構成のみが相違するものである。従って、前記第１実施形態と同一の構成部分については、該第１実施形態と同一の参照符号を用い、説明を省略する。
【００８２】
本実施形態の電源装置は前記第１実施形態のものと次の点で相違している。すなわち、本実施形態では、前記直流電源電圧生成回路３５のダイオード４１の出力側の第２給電部４２には、前記第１実施形態における補助電源コンデンサ４３の代わりに、ダイオード７６，７７をそれぞれ介して補助電源コンデンサ７８，７８’が接続されている。これらの補助電源コンデンサ７８，７８’は、本発明における蓄電器に相当するものであり（補助電源コンデンサ７８’は第２の蓄電器に相当する）、トランス２３に交流電源２２の電圧が付与された状態で第２給電部４２に生成される直流電源電圧Ｖdと略同レベルの直流電源電圧Ｖd’，Ｖｄ’’がそれぞれ充電される。尚、補助電源コンデンサ７８は、前記第１実施形態の補助コンデンサ４３と同様、比較的大きな容量のコンデンサであるが、補助電源コンデンサ７８’は、比較的容量の小さなコンデンサである。
【００８３】
この場合、補助電源コンデンサ７８は、その充電電圧を、暖房装置１の運転休止中（詳しくはトランス２３に交流電源２２の電圧が付与されていない状態）に、該補助電源コンデンサ７８とダイオード７６との間の中点の第３給電部７９から供給可能とされ、また、補助電源コンデンサ７８’は、その充電電圧を、暖房装置１の運転休止中に、該補助電源コンデンサ７８’とダイオード７７との間の中点の第４給電部８０から供給可能とされている。
【００８４】
さらに詳細には、前記補助電源コンデンサ７８，７８’のうち、補助電源コンデンサ７８’は、その充電電圧を第４給電部８０からスイッチ素子制御信号生成回路５4に供給可能されている。この場合、第２給電部４２と補助電源コンデンサ７８’との間に存するダイオード７７によって、補助電源コンデンサ７８の充電電圧が、スイッチ素子制御信号生成回路５４以外の回路に供給されることはない。また、補助電源コンデンサ７８は、その充電電圧を第３給電部７９からマイコン２０の電源入力部２０ａと、予備的計時用の発振回路５７と、キー操作器７２とに供給可能としている。この場合、第２給電部４２と補助電源コンデンサ７８の間に存する前記ダイオード７６によって、補助電源コンデンサ７８の充電電圧がスイッチ素子制御信号生成回路５４やパルス信号生成回路５６に供給されることはない。尚、本実施形態では、前記主電源ON信号生成回路４４に係わるフォトトランジスタ４６ｂに第３給電部７９から通電可能とされているが、前記主電源接点スイッチ２５及び副電源接点スイッチ２６は開成状態に維持される暖房装置１の運転休止中に、上記フォトトランジスタ４６ｂに補助電源コンデンサ７８の充電電圧が供給されることはない。以上説明した以外の構成は、前記第１実施形態のものと全く同一である。
【００８５】
かかる本実施形態の暖房装置１では、その運転中及び運転休止中のいずれの状態であっても、マイコン２０の制御処理は前記第１実施形態と全く同一である。
この場合、暖房装置１の運転休止状態では、マイコン２０や発振回路７９、キー操作器７２の動作用電源は、補助電源コンデンサ７８から供給され、これにより、マイコン２０は、前記第１実施形態と同様に、定期的に、あるいはキー操作器７２の操作に応じて、双方向サイリスタ２８を導通状態に制御する処理を実行できる。但し、本実施形態では、双方向サイリスタ２８を導通させるために、通電する必要のある前記スイッチ素子制御信号生成回路５４の発光ダイオード６０ａには、マイコン２０等の電源となる補助電源コンデンサ７８とは別の補助電源コンデンサ７８’から通電される。
【００８６】
従って、補助電源コンデンサ７８は、基本的にはマイコン２０自身の制御処理を行うための専用的なものとなり、暖房装置１の運転休止中における補助電源コンデンサ７８の電力消費をさらに低減することができる。この結果、双方向サイリスタ２８を定期的に導通状態に制御するに際して、その制御を行う時間間隔（周期）を長くすることができる。あるいは、双方向サイリスタ２８の１回当たりの継続的な導通時間を短くすることができる。このため、暖房装置１の運転休止中に交流電源２２から通電を行う時間をさらに低減することができ、暖房装置１の省電力化をさらに高めることができる。また、補助電源コンデンサ７８’は、スイッチ素子制御信号生成回路５４の通電専用のものとなるため、その容量は比較的小さくてよく、小型で安価なものを使用することができる。
【００８７】
尚、以上説明した第１及び第２実施形態では、本発明におけるスイッチ素子として双方向サイリスタ２８を用いたが、他の半導体スイッチや、リレースイッチ等を用いてもよい。
【００８８】
また、前記第１及び第２実施形態では、蓄電器としてコンデンサ４３，７８，７８’を用いたが、電池（二次電池）を用いるようにしてもよい。
【００８９】
また、前記第１及び第２実施形態では、気化式燃焼装置３を熱源として備えたFF式の温風暖房装置を例にとって説明したが、例えば、他の形式の燃焼装置３を熱源として備えた暖房装置であってもよく、さらには、温水暖房装置、あるいは、温風暖房装置の燃焼装置の燃焼熱により熱交換器を介して温水路の温水を加熱するような複合式の暖房装置においても本発明を適用できることはもちろんである。
【図面の簡単な説明】
【図１】本発明の第１実施形態の電源装置を備えた暖房装置の概要構成を模式的に示す説明図。
【図２】図１の暖房装置の電源装置の第１実施形態の回路構成図。
【図３】図１の暖房装置の電源装置の第２実施形態の回路構成図。
【符号の説明】
１…暖房装置、３…気化式燃焼装置、８…燃焼ファン、１０…電磁ポンプ（電動アクチュエータ）、１６…バーナモータ（駆動用モータ）、２０…マイクロコンピュータ（制御回路）、２１…電源装置、２２…交流電源、２３…トランス、２４…運転スイッチ、２５…主電源接点スイッチ、２６…副電源接点スイッチ、２８…双方向サイリスタ（スイッチ素子）、３２，３４…リレースイッチ（モータ用スイッチ素子）、３５…直流電源電圧生成回路、４３，７８，７８’…コンデンサ（蓄電器）、４４…主電源ON信号生成回路、４５…アクチュエータ駆動回路、５６…パスル信号生成回路、５７…発振回路、７２…キー操作器、７３…表示器。
【図１】
0004553528.tif 000002
【図２】
0004553528.tif 000003
【図３】
0004553528.tif 000004